(57)【特許請求の範囲】
【請求項１】
洗濯槽と、前記洗濯槽に水道水を給水するための給水手段と、前記給水手段と連通し水道水を内部に給水するための給水口および前記洗濯槽内に給水するための給水口部と連通し内部の水を排水するための排水口を有する水処理装置とを備え、前記水処理装置は、内部に、亜硫酸カルシウムを主成分としその微粒子を水に徐溶性の結合剤により固結して形成し水道水に含まれる遊離塩素を還元する還元剤を収納し、前記給水口からの給水が前記還元剤の上方より前記還元剤上に散水されるよう構成した洗濯機。
【請求項２】
水処理装置は、還元剤を収納する収納庫と、前記収納庫の上方を開閉可能に被着される蓋部とを有し、給水口からの給水が前記蓋部に当たり整流されて、前記還元剤上に均一に散水されるよう構成した請求項１記載の洗濯機。
【請求項３】
蓋部には、給水口から供給された水道水が整流、分配されるリブを設けた請求項２記載の洗濯機。
【請求項４】
蓋部は、略ドーム形状とし、給水口から収納庫に供給された水道水が前記蓋部内面の略ドーム形状中央部分に当たり散水されるよう構成した請求項１〜３のいずれか１項に記載の洗濯機。
【請求項５】
給水口は、収納庫の略中央部に配設されるよう構成した請求項１〜４のいずれか１項に記載の洗濯機。
【請求項６】
還元剤の一部に穴または切欠き部を設け、給水口は、前記穴または切欠き部を連通して水道水を供給するよう配設した請求項１〜５のいずれか１項に記載の洗濯機。
【請求項７】
還元剤を収納庫内に遊嵌して装着できる保持部が、収納庫に配設されるよう構成した請求項１〜６のいずれか１項に記載の洗濯機。
【請求項８】
還元剤を覆うケースを有し、保持部は、前記ケースの一部を遊嵌する構成とした請求項７記載の洗濯機。
【請求項９】
保持部とケースとの遊嵌部分で、給水口を形成した請求項８記載の洗濯機。
【請求項１０】
還元剤は、収納庫内に挿入する際の異方向挿入を防止する手段を設けた請求項６〜８記載の洗濯機。
【請求項１１】
収納庫に供給される水道水の給水量を制御する給水制御手段と、蓋部の開閉状態を検知する蓋開閉検知手段とを備え、前記蓋開閉検知手段が蓋開状態を検知したとき収納庫内に供給される給水量を減少、給水圧を低下、または給水を停止する構成とした請求項１〜１０のいずれか１項に記載の洗濯機。
【請求項１２】
収納庫に供給される水道水の給水量を制御する給水制御手段を備え、前記給水制御手段は、蓋部の閉まり具合程度に応じて給水量を変化させるようにした請求項１〜１０のいずれか１項に記載の洗濯機。
【請求項１３】
給水制御手段は、収納庫への給水をばね、電動機、マグネット等の給水水圧等に関係なく動作する手段によって制御し、蓋部の開状態で給水量を減少、給水圧を低下、または給水を停止する構成とした請求項１２記載の洗濯機。
【請求項１４】
排水口に還元剤からの粉、破片、不純物等の異物を取り除くフィルター部を配設した請求項１〜１３のいずれか１項に記載の洗濯機。
【請求項１５】
蓋部の一部または全体を透明または半透明に形成し、還元剤の状態を収納庫外から視覚的に確認できるようにした請求項１〜４のいずれか１項に記載の洗濯機。
【発明の詳細な説明】
【０００１】
【発明の属する技術分野】
本発明は、洗濯槽に給水する水または洗濯液中に含まれる遊離塩素を除去できる水浄化装置を備えた洗濯機に関するものである。
【０００２】
【従来の技術】
従来、洗濯機に給水する水道水中の遊離塩素を除去する技術は、特開平２−１３６１７０号公報、特開平６−１５４４７４号公報、特開平６−２３８０９２号公報などに記載されたものが知られている。
【０００３】
特開平２−１３６１７０号公報に記載されたものは、図１７に示すように、給水ホース１を接続した給水弁２に内部ホース３を接続し、この内部ホース３に給水経路切換部４を接続し、この給水経路切換部４により遊離塩素除去材を充填したカートリッジ（図示せず）を内蔵した遊離塩素除去装置５を通して、遊離塩素を除去した水道水を給水口部６から水槽内に給水できるように構成している。
【０００４】
特開平６−１５４４７４号公報に記載されたものは、図１８に示すように、給水ホース１を２連給水弁７に接続し、この２連給水弁７の一方に遊離塩素除去材８を充填したカートリッジ９を内蔵した遊離塩素除去装置１０を接続し、遊離塩素除去装置１０の流入口１１より入った水道水を遊離塩素除去材８を通して流出口１２より出し、遊離塩素を除去した水道水を給水口部６から水槽内に給水できるように構成している。
【０００５】
また、特開平６−２３８０９２号公報に記載されたものは、図１９に示すように、給水弁２に接続した内部ホース３を通して給水する給水経路に、遊離塩素除去材８を充填したカートリッジ１３を収納するフィルターケース１３ａを引き出し状に着脱自在に取り付け、フィルターケース１３ａを装着時には水槽内へ遊離塩素を除去した水道水を給水する構成となっている。
【０００６】
【発明が解決しようとする課題】
特開平２−１３６１７０号公報、特開平６−１５４４７４号公報に記載された構成では、遊離塩素を除去した水道水を水槽内に給水するために、給水経路を完全に切り換えることにより、すべての給水が充填されている遊離塩素除去材中を通過させることと、緻密に充填した遊離塩素除去材中を通過させるために水圧を付加することが必要である。
【０００７】
さらに、還元剤を使用したカートリッジ方式では、還元剤としては還元作用を有する粉末の亜硫酸カルシウムを主成分とし、水に難溶性のエチルセルロース等をバインダー（結合剤）として粒状化したものが使用されていた。この結果、反応機構の原理は、遊離塩素が亜硫酸カルシウムの粒状体表面に接触して反応するものであった。
【０００８】
また、粒状体を充填した構成では、水の通りやすい部分と通りにくい部分を生じ易く、水圧を付加した状態で使用していると、水の通りやすい部分が他の部分よりも多くの遊離塩素と反応するために消費して、有効成分を多く残したままショートパスを生じて遊離塩素が漏れだして寿命となっていた。
【０００９】
また、活性炭を使用したカートリッジでは、水道水中に含まれる異物による目詰まりから、流量低下を生じるとともに、活性炭中を通過する流速が増して吸着能力を越えるために遊離塩素が徐々に漏れだして短寿命となる。
【００１０】
いずれの場合においても、使用者が外から還元剤の使用寿命を視覚で認識することが不可能なために、使用回数などから寿命を予測して放置することも要求される。
【００１１】
つぎに、特開平６−２３８０９２号公報に記載された構成では、遊離塩素を除去した水道水を水槽内に給水するために、カートリッジ１３を収納したフィルターケース１３ａを装着したその部分において、水道水中に含まれる遊離塩素を除去するには、難溶性の還元剤では水道水との高い接触効率（広い接触面積）が要求されている。このことから、使用中に徐々に接触面積が小さくなり、同様に使用者が外から寿命を知ることは不可能なために、使用回数などから寿命を予測して報知することも要求される。
【００１２】
また、易溶解性の還元剤では洗濯行程からすすぎ行程の各行程にわたって所定量の還元剤を水道水中に供給することは不可能であった、あまり過剰の還元剤が洗濯液中にあると還元作用により色柄物（染料）に変色を生じさせるために、ほぼ所定量の溶出に制御することが要求される。
【００１３】
さらに、還元剤は、その使用によって、交換や補修が必要であり、洗濯機に還元剤を装填するのに、装填が行いやすいこと等の操作性も必要であり、装填された還元剤を安定的に使用できることも重要である。
【００１４】
本発明は上記課題を解決するもので、予め設定した所定量の還元剤を水道水中にあるいは洗濯液中に分散または溶解し、還元剤と遊離塩素を完全にかつ迅速に酸化還元反応させて除去し、水道水に含まれる遊離塩素の酸化作用による色柄（染料）の変退色やシルクの黄変や各種有機系の繊維表面加工材の酸化等を防止できるようにすることを目的としている。
【００１５】
【課題を解決するための手段】
本発明は上記目的を達成するために、水に含まれる遊離塩素を還元する還元剤を収納庫に収納し、この収納庫の開閉を可能にする蓋部を設けた水処理装置を有し、給水手段からの給水を前記水処理装置を介して洗濯槽に注水するよう構成したものである。
【００１６】
これにより、予め設定した所定量の還元剤を水道水中にあるいは洗濯液中に分散または溶解し、還元剤と遊離塩素を完全にかつ迅速に酸化還元反応させて除去することができ、水道水に含まれる遊離塩素の酸化作用による色柄物（染料）の変退色やシルクの黄変や各種有機系の繊維表面加工材の酸化等を防止することができる。
【００１７】
【発明の実施の形態】
本発明の請求項１に記載の発明は、洗濯槽と、前記洗濯槽に水道水を給水するための給水手段と、前記給水手段と連通し水道水を内部に給水するための給水口および前記洗濯槽内に給水するための給水口部と連通し内部の水を排水するための排水口を有する水処理装置とを備え、前記水処理装置は、内部に、亜硫酸カルシウムを主成分としその微粒子を水に徐溶性の結合剤により固結して形成し水道水に含まれる遊離塩素を還元する還元剤を収納し、前記給水口からの給水が前記還元剤の上方より前記還元剤上に散水されるよう構成したものであり、給水経路を完全に切換えたり、カートリッジに水圧を付加する必要もなく、また、水道水との高い接触効率が要求されることがなく、予め設定した所定量の還元剤を水道水中にまたは洗濯液中に分散または溶解し、還元剤と遊離塩素を完全にかつ迅速に酸化還元反応させて除去することができ、水道水に含まれる遊離塩素の酸化作用による色柄物（染料）の変退色やシルクの黄変や各種有機系の繊維表面加工材の酸化等を防止することができる。
【００１８】
請求項２に記載の発明は、上記請求項１に記載の発明において、水処理装置は、還元剤を収納する収納庫と、前記収納庫の上方を開閉可能に被着される蓋部とを有し、給水口からの給水が前記蓋部に当たり整流されて、前記還元剤上に均一に散水されるよう構成したものであり、収納庫に投入された還元剤に対し、給水を一旦蓋に当てることで給水の状態を制御することができ、制御された水が還元剤にかかり溶出し洗濯槽に注水される水道水の中の遊離塩素濃度を所定値以下に押さえることができる。
【００１９】
請求項３に記載の発明は、上記請求項２に記載の発明において、蓋部には、給水口から供給された水道水が整流、分配されるリブを設けたものであり、収納庫に投入された還元剤に対して、給水を蓋部に当てることで給水の状態を制御し、洗濯槽に投入される水道水の中の遊離塩素濃度を安定して所定値以下に押さえることができ、かつ蓋部に設けたリブによって、還元剤の溶解の状態を均一にすることができ、使用回数を重ねても安定して水道水処理を行うことができる。
【００２０】
請求項４に記載の発明は、上記請求項１〜３に記載の発明において、蓋部は、略ドーム形状とし、給水口から収納庫に供給された水道水が前記蓋部内面の略ドーム形状中央部分に当たり散水されるよう構成したものであり、収納庫に投入された還元剤に対して、給水を一旦ドーム状に形成した蓋部に当てて水圧による水の乱れを抑制し、給水の状態を安定化させることで洗濯槽に投入される水道水の中の遊離塩素濃度を高水圧の状態でも安定して所定値以下に押さえ、かつ還元剤の溶解の状態を均一化することができる。
【００２１】
請求項５に記載の発明は、上記請求項１〜４に記載の発明において、給水口は、収納庫の略中央部に配設されるよう構成したものであり、給水の状態を一定に上方向に向けることで、還元剤への散水が中央から均一にかかる構成とすることができ、これによって洗濯槽に注水される水道水の中の遊離塩素濃度を安定して所定値以下に押さえ、かつ還元剤の溶解も中央から進むようすることができ、使用回数を重ねても安定して水道水処理を行うことができ、更に還元剤の溶解状態を安定させることができる。
【００２２】
請求項６に記載の発明は、上記請求項１〜５に記載の発明において、還元剤の一部に穴または切欠き部を設け、給水口は、前記穴または切欠き部を連通して水道水を供給するよう配設したものであり、収納庫に投入された還元剤に対する給水経路の給水口を収納庫の略中央部に配設し、同時に還元剤を給水口をよける状態に配設することで、給水経路を簡素化することができ、還元剤のメンテナンスに対しても蓋部を開けるだけで安易に行うことができ、さらに水道水の中の遊離塩素濃度を安定して所定値以下に押さえ、かつ還元剤を中央部から均一に溶解するようにでき、使用回数を重ねても安定して水道水処理を行うことができ、更に還元剤の溶解状態を中央から溶解させることができる。
【００２３】
請求項７に記載の発明は、上記請求項１〜６に記載の発明において、還元剤を収納庫内に遊嵌して装着できる保持部が、収納庫に配設されるよう構成したものであり、収納庫内に配設した保持部によって、還元剤が給水により振動、移動、傾きなどの変化を起こし、不安定な状態になるのを防止すことができ、還元剤の片減りや割れといった不具合がなく、水道水の中の遊離塩素濃度を安定して所定値以下に押さえることができる。
【００２４】
請求項８に記載の発明は、上記請求項７に記載の発明において、還元剤を覆うケースを有し、保持部は、前記ケースの一部を遊嵌する構成としたものであり、還元剤を覆うケースの一部を保持部で保持することで、還元剤の遊嵌部分が変形したり、削れたり、破損したりするのを防止することができ、水道水の中の遊離塩素濃度をさらに安定して所定値以下に押さえることができる。
【００２５】
請求項９に記載の発明は、上記請求項８に記載の発明において、保持部とケースとの遊嵌部分で、給水口を形成したものであり、収納庫の構造を簡素化することができて収納庫内における還元剤の体積を拡充することができ、長期にわたって水道水の中の遊離塩素の処理を行うことができる。
【００２６】
請求項１０に記載の発明は、上記請求項６〜８に記載の発明において、還元剤は、収納庫内に挿入する際の異方向挿入を防止する手段を設けたものであり、還元剤に上下などの区別がある場合、収納庫の挿入方向により収納庫内に設けた還元剤を遊嵌させる保持部と還元剤を覆うケースとが接触または干渉することで、溶解が安定しない場合があるが、溶解が安定しない方向では還元剤を挿入できないようにすることで、還元剤の交換等を行っても、給水経路に対して安定して還元剤が溶解する位置に還元剤を挿入することができ、安定して水道水の中の遊離塩素の処理を行うことができる。
【００２７】
請求項１１に記載の発明は、上記請求項１〜１０に記載の発明において、収納庫に供給される水道水の給水量を制御する給水制御手段と、蓋部の開閉状態を検知する蓋開閉検知手段とを備え、前記蓋開閉検知手段が蓋開状態を検知したとき収納庫内に供給される給水量を減少、給水圧を低下、または給水を停止する構成としたものであり、蓋開閉検知手段により蓋部が開いていることを検知すれば、収納庫への給水を制限または停止することにより、還元剤がなくなり、給水中に蓋部を開けたときや、異常な水圧がかり蓋部が開いてしまったとき、あるいはその他の不具合によって蓋部が開いたときに収納庫外に水漏れが発生することがなく、安全性を向上することができる。
【００２８】
請求項１２に記載の発明は、上記請求項１〜１０に記載の発明において、収納庫に供給される水道水の給水量を制御する給水制御手段を備え、前記給水制御手段は、蓋部の閉まり具合程度に応じて給水量を変化させるようにしたものであり、蓋部の開閉状態を検知する手段を設けなくとも、蓋部が開いていると、収納庫への給水の水圧を利用して、自動的に収納庫への給水を制限または停止することができ、還元剤がなくなり、給水中に蓋部を開けたときや、異常な水圧がかり蓋部が開いてしまったとき、またはその他の不具合によって蓋部が開いたときに、収納庫外に水漏れが発生しないようにでき、安全性を向上するとともに、安価にできる。
【００２９】
請求項１３に記載の発明は、上記請求項１２に記載の発明において、給水制御手段は、収納庫への給水をばね、電動機、マグネット等の給水水圧等に関係なく動作する手段によって制御し、蓋部の開状態で給水量を減少、給水圧を低下、または給水を停止する構成としたものであり、蓋が開いていると、水圧に関係なく自動的に収納庫への給水を制限または停止することができ、還元剤がなくなり、給水中に蓋部を開けたときや、またはその他の不具合によって蓋部が開いたときに、たとえ水圧が低くても収納庫外に水漏れが発生しないようにでき、安全性を向上するとともに、安価にできる。
【００３０】
請求項１４に記載の発明は、上記請求項１〜１３に記載の発明において、排水口に還元剤からの粉、破片、不純物等の異物を取り除くフィルター部を配設したものであり、還元剤に付着したごみや、還元剤の欠片、給水経路のさび等のそのまま洗濯槽に入って洗濯すれば、洗濯終了後に衣類に付着していることが判別できる異物を、収納庫内にて除去することができる。
【００３１】
請求項１５に記載の発明は、上記請求項１〜４に記載の発明において、蓋部の一部または全体を透明または半透明に形成し、還元剤の状態を収納庫外から視覚的に確認できるようにしたものであり、蓋部を閉じたままの状態で還元剤の減り具合や状態を外部から視覚的に確認することができ、還元剤がなくなったまま使用し、色柄物の変退色やシルクの黄変を引き起こしたりすることを抑止することができ、還元剤の補填や交換などのメンテナンスを的確な時期に行うことができる。
【００３２】
【実施例】
以下、本発明の実施例について、図面を参照しながら説明する。
【００３３】
（実施例１）
図１および図２に示すように、還元剤１４は、水に含まれる遊離塩素を還元するもので、亜硫酸カルシウムを主成分とし、水に徐溶性の結合剤により固結し、この還元剤１４を収納庫１５に収納し、この収納庫１５に蓋部１６をねじ１７により開閉可能に被着して水処理装置１８を構成している。収納庫１５内に給水口１９を設け、この給水口１９は、給水路２０を通して給水弁（給水手段）２１に連通し、還元剤１４の上方より給水できるようにしている。還元剤１４の下方に排水口２２を設け、この排水口２２は給水口部２３に連通している。この水処理装置１８を洗濯兼脱水槽（洗濯槽）２４より上方に配設している。
【００３４】
上記構成において動作を説明すると、収納庫１５内に還元剤１４を入れ、蓋部１６を閉じた状態で給水弁２１を開くと、給水路２０を通して給水口１９より還元剤１４の上方に散水される、収納庫１５の下部の排水口２２を経て、給水口部２３より洗濯兼脱水槽２４内に注水される。
【００３５】
このとき、還元剤１４の結合剤が徐々に溶解して水道水中へ、予め設定した所定量（たとえば、１〜３ｐｐｍ）の還元剤１４、すなわち、亜硫酸カルシウムの微粒子が分散放出される。水道水中に分散放出された亜硫酸カルシウム微粒子は、還元剤１４の表面から給水口部２３および洗濯兼脱水槽２４において、水道水中の酸化作用のある遊離塩素と酸化還元反応して遊離塩素を除去することができる。したがって、水道水に含まれる残留遊離塩素の酸化作用による色柄物（染料）の変退色やシルクの黄変や各種有機系の繊維表面加工材の酸化などを防止することができる。
【００３６】
このように本実施例によれば、給水経路を完全に切換えたり、カートリッジに水圧を付加する必要もなく、また、水道水との高い接触効率が要求されることがなく、予め設定した所定量の還元剤１４を水道水中にまたは洗濯液中に分散または溶解し、還元剤１４と水道水中の遊離塩素を完全に、かつ迅速に酸化還元反応させて除去することができ、水道水に含まれる遊離塩素の酸化作用による色柄物（染料）の変退色や、シルクの黄変や各種有機系の繊維表面加工材の酸化等を防止することができる。
【００３７】
なお、本実施例では、蓋１６は収納庫１５にねじ１７により開閉自在に被着しているが、収納庫１５を被着するものであれば、ねじ１７を設けていなくてもよい。また、水処理装置１７を洗濯兼脱水槽２４より上方に配設しているが、給水弁２１を開くことにより水道水を給水口１９より還元剤１４の上方に散水されればよく、洗濯兼脱水槽２４より上方に配設していなくてもよい。さらに、還元剤１４により処理した処理水を洗濯兼脱水槽２４に注水しているが、二槽式洗濯機などの洗濯槽に注水するようにしてもよい。
【００３８】
（実施例２）
図３に示すように、蓋部１６は、給水口２５から収納庫１５に供給された水を蓋部１６に当てることで整流し、還元剤１４に均一に給水するようにしている。他の構成は上記実施例１と同じである。
【００３９】
上記構成において動作を説明すると、収納庫１５への給水は給水弁２１より給水路２０を通り、給水口２５より蓋部１６に向けて噴射し、還元剤１４の上部に散水される。還元剤１４により水道水中の遊離塩素を酸化還元反応によって除去した後に、処理水は収納庫１５の下部の排水口２２を経て、給水口部２３より洗濯兼脱水槽２４内に注水される。
【００４０】
このように本実施例によれば、還元剤１４への給水を一旦蓋部１６に当てることで、給水の状態を制御し、この制御された水が還元剤１４にかかって溶出し、洗濯兼脱水槽２４に注水される水道水の中の遊離塩素濃度を所定値以下に押さえることができる。
【００４１】
（実施例３）
図４に示すように、蓋部２６は、内壁に給水口２５から供給された水を整流、分配するリブ２７を設け、給水口２５から収納庫１５に供給された水をリブ２７に当てて、還元剤１４の上部に散水するようにしている。他の構成は上記実施例１または２と同じである。
【００４２】
上記構成において動作を説明すると、収納庫１５への給水は給水弁２１より給水路２０を通り、給水口２５より蓋部２６に向けて噴射し、還元剤１４の上部に散水される。このとき、給水は蓋部２６の内壁に設けたリブ２７によって還元剤１４に片寄りなく散水され、溶解の状態を均一化することができる。還元剤１４により水道水中の遊離塩素を酸化還元反応によって除去した後に、処理水は収納庫１５の下部の排水口２２を経て、給水口部２３より洗濯兼脱水槽２４内に注水される。
【００４３】
このように本実施例によれば、還元剤１４への給水を一旦蓋部２６に当てることで、給水の状態を制御し、この制御された水が還元剤１４にかかって溶出し、洗濯兼脱水槽２４に注水される水道水の中の遊離遊離塩素濃度を所定値以下に押さえることができ、しかも、蓋部２６に設けたリブ２７によって、還元剤１４の溶解の状態を均一にすることができ、使用回数を重ねても安定して水道水処理を行うことができる。
【００４４】
なお、本実施例では、蓋部２６の内壁に設けたリブ２７として、断面でリブの形態を示しているが、このリブ２７は、蓋部２６の内面に、同心円状であったり、放射状であったり、スパイラル状であったりいろいろな形状が考えられるが、給水口２５から給水される水道水を還元剤１４上に散水し、溶解の状態を均一化するという効果においてはすへて同じである。要は還元剤１４上に散水し、溶解の状態を均一にするものであればよい。
【００４５】
（実施例４）
図５に示すように、蓋部２８は、内面の上面略中央部に上に凸のドーム２９を形成して略ドーム形状とし、給水口２５から収納庫１５に供給された水をドーム２９の中央部に当てて、還元剤１４の上部に散水するようにしている。他の構成は上記実施例１または２と同じである。
【００４６】
上記構成において動作を説明すると、収納庫１５への給水は給水弁２１より給水路２０を通り、給水口２５より蓋部２８に向けて噴射し、還元剤１４の上部に散水される。このとき、給水は蓋部２８の内面の上面略中央部に設けたドーム２９によって水の乱れを抑制し、還元剤１４に安定して散水され、溶解の状態を均一化することができる。還元剤１４により水道水中の遊離塩素を酸化還元反応によって除去した後に、処理水は収納庫１５の下部の排水口２２を経て、給水口部２３より洗濯兼脱水槽２４内に注水される。
【００４７】
このように本実施例によれば、還元剤１４への給水を一旦ドーム状に形成した蓋部２８に当てることにより、水圧による水の乱れを抑制し、給水の状態を安定化させることで、洗濯兼脱水槽２４に投入される水道水の中の遊離塩素濃度を高水圧の状態でも溶解の状態をも均一化することができる。したがって使用回数を重ねても安定して水道水処理を行うことができる。
【００４８】
（実施例５）
図６に示すように、収納庫１５の略中央部に給水口３０を配設し、この給水口３０より給水弁２１からの水を収納庫１５内に供給するようにしている。他の構成は上記実施例１と同じである。
【００４９】
上記構成において動作を説明すると、収納庫１５への給水は給水弁２１より給水路２０を通り、収納庫１５の略中央部に配設した給水口３０を経て、蓋部１６に向けて噴射する。噴射された水は還元剤１４の上部に略同心円状に散水され、還元剤１４の溶解の状態を均一化することができる。還元剤１４により水道水中の遊離塩素を酸化還元反応によって除去した後に、処理水は収納庫１５の下部の排水口２２を経て、給水口部２３より洗濯兼脱水槽２４内に注水される。
【００５０】
このように本実施例によれば、収納庫１５に投入された還元剤１４に対する給水口３０を収納庫１５の略中央部に配設し、給水の状態を一定に上方向に向けることで、還元剤１４への散水が中央から均一にかかるようにすることができ、これによって洗濯兼脱水槽２４に注水される水道水の中の遊離塩素濃度を安定して所定値以下に押さえることができ、かつ還元剤１４の溶解も中央から進むようすることができ、使用回数を重ねても安定して水道水処理を行うことができ、更に還元剤１４の溶解状態を安定させることができる。
【００５１】
（実施例６）
図７（ａ）（ｂ）に示すように、還元剤３１は、中央部に穴３２を設けてドーナツ状に形成している。給水弁２１より収納庫１５に供給される水の給水口３３を穴３２を連通して水を供給するよう配設している。他の構成は上記実施例１と同じである。
【００５２】
上記構成において動作を説明すると、収納庫１５への給水は給水弁２１より給水路２０を通り、還元剤３１の穴３２を連通した給水口３３を経て、蓋部１６に向けて噴射する。噴射された水は還元剤３１の上部に略同心円状に散水され、還元剤３１の溶解の状態を均一化することができる。還元剤３１により水道水中の遊離塩素を酸化還元反応によって除去した後に、処理水は収納庫１５の下部の排水口２２を経て、給水口部２３より洗濯兼脱水槽２４内に注水される。
【００５３】
このように本実施例によれば、収納庫１５に投入された還元剤３１に対する給水経路の給水口３３を収納庫１５の略中央部に配設し、同時に還元剤３１を給水口３３をよける状態に配設することで、給水経路を簡素化することができ、還元剤３１のメンテナンスに対しても蓋部１６を開けるだけで安易に行うことができ、さらに水道水の中の遊離塩素濃度を安定して所定値以下に押さえ、かつ還元剤３１を中央部から均一に溶解するようにでき、使用回数を重ねても安定して水道水処理を行うことができ、更に還元剤３１の溶解状態を中央から溶解させることができる。
【００５４】
なお、本実施例では、還元剤３１はドーナツ状の形成しているが、還元剤３１の外周形状は、多角形状であっても、また中央の穴が多角形状であってもよく、また、図７（ｃ）に示すように、切欠き部３４を設けて、略三日月状に形成しても、還元剤３１のメンテナンスを蓋１６を開けるだけで安易に行える点では、効果は同様である。
【００５５】
（実施例７）
図８（ａ）（ｂ）に示すように、保持部３５は、還元剤３１を収納庫１５内に遊嵌して装着できるもので、収納庫１５内に配設している。他の構成は上記実施例６と同じである。
【００５６】
上記構成において動作を説明すると、収納庫１５への給水は給水弁２１より給水路２０を通り、還元剤３１の穴３２を連通した給水口３３を経て、蓋部１６に向けて噴射する。このとき、還元剤３１は、保持部３５によって保持されているため、還元剤３１が給水によって、振動、移動、傾き等の変化を起こし、不安定な状態になるのを防止することができ、還元剤３１の片減りや割れといった不具合の発生をなくすることができる。
【００５７】
噴射された水は還元剤３１の上部に略同心円状に散水され、還元剤３１の溶解の状態を均一化することができる。還元剤３１により水道水中の遊離塩素を酸化還元反応によって除去した後に、処理水は収納庫１５の下部の排水口２２を経て、給水口部２３より洗濯兼脱水槽２４内に注水される。
【００５８】
このように本実施例によれば、収納庫１５内に配設した保持部３５によって、還元剤３１が給水により振動、移動、傾きなどの変化を起こし、不安定な状態になるのを防止すことができ、還元剤３１の片減りや割れといった不具合がなく、水道水の中の遊離塩素濃度を安定して所定値以下に押さえることができ、かつ使用回数を重ねても安定して水道水処理を行うことができる。
【００５９】
なお、本実施例では、還元剤３１の中央部に穴３２を設けてドーナツ状に形成し、給水口３３を穴３２を連通して水を供給するようにしているが、実施例１〜５の還元剤１４を用いた場合も同様に構成することができる。
【００６０】
（実施例８）
図９（ａ）（ｂ）に示すように、ケース３６は、還元剤３１を覆うように構成し、保持部３５はケース３６の一部を遊嵌する構成としている。他の構成は上記実施例７と同じである。
【００６１】
上記構成において動作を説明すると、収納庫１５への給水は給水弁２１より給水路２０を通り、還元剤３１の穴３２を連通した給水口３３を経て、蓋部１６に向けて噴射する。このとき、還元剤３１は、ケース３６を介して保持部３５によって保持されているため、還元剤３１の遊嵌部分が変形したり、削れたり、破損したりすることがなく、還元剤３１が給水によって、振動、移動、傾き等の変化を起こし、不安定な状態になるのを防止することができ、還元剤３１の片減りや割れといった不具合の発生をなくすることができる。
【００６２】
このように本実施例によれば、還元剤３１を覆うケース３６の一部を保持部３５で保持することで、還元剤３１の遊嵌部分が変形したり、削れたり、破損したりするのを防止することができ、水道水の中の遊離塩素濃度をさらに安定して所定値以下に押さえることができる。
【００６３】
（実施例９）
図１０に示すように、収納庫１５内に還元剤３１を遊嵌させる保持部３７を設け、還元剤３１を覆うケース３８の一部分を被保持部３９として、保持部３７で支持し、被保持部３９が収納庫１５に給水する給水口４０を兼用するように構成している。他の構成は上記実施例７または８と同じである。
【００６４】
上記構成において動作を説明すると、収納庫１５への給水は給水弁２１より給水路２０を通り、還元剤３１を連通した給水口４０を経て、蓋部１６に向けて噴射する。このとき、還元剤３１は、ケース３８に形成した被保持部３９を保持部３７によって保持されているため、還元剤３１が給水によって、振動、移動、傾き等の変化を起こし、不安定な状態になるのを防止することができ、還元剤３１の片減りや割れといった不具合の発生をなくすることができる。
【００６５】
このように本実施例によれば、還元剤３１を覆うケース３８を保持する被保持部３９を給水口４０に形成することで、収納庫１５の構造を簡素化することができて収納庫１５内における還元剤３１の体積を拡充することができ、長期にわたって水道水の中の遊離塩素の処理を行うことができる。
【００６６】
（実施例１０）
図１１（ａ）（ｂ）に示すように、収納庫１５内に還元剤３１を遊嵌させる保持部４１を設け、還元剤４２を覆うケース４３の一部分を被保持面４４として、保持部４１で支持する。この保持部４１および被保持面４４は一定の傾きを有し、図１１（ｂ）に示すように、収納庫１５に対して還元剤４２を収納したケース４３が所定の方向にしか挿入できない構成としている。他の構成は上記実施例６〜９と同じである。
【００６７】
上記構成において動作を説明すると、収納庫１５内に還元剤４２を入れるとき、収納庫１５に設けた保持部４１と還元剤４２を覆うケース４３の被保持部面４４が接触、または干渉することで、還元剤４２の溶解が安定しない方向では、還元剤４２を収納するケース４３を挿入できないようにすることができ、還元剤４２の交換などを行っても、誤挿入を防止でき、安定して水道水の中の遊離塩素の処理を行うことができる。
【００６８】
このように本実施例によれば、還元剤４２に上下などの区別があっても、収納庫１５への挿入方向により収納庫１５内に設けた保持部４１と還元剤を覆うケース４３とが接触または干渉することで、溶解が安定しない方向では還元剤４２を挿入できないようにすることができ、還元剤４２の交換等を行っても、給水経路に対して安定して還元剤４２が溶解する位置に還元剤４２を挿入することができ、安定して水道水の中の遊離塩素の処理を行うことができる。
【００６９】
なお、本実施例では、傾きをもった面による、異方向挿入防止の例を示したが、リブによる干渉、突起による干渉など、これ以外にも、異方向挿入防止策は存在する。溶解が安定しない方向でなければ、還元剤４２を収納するケース４３を収納庫１５に挿入できないという構成においては、どれも効果は同じである。
【００７０】
（実施例１１）
図１２に示すように、収納庫１５を覆う蓋部１６の一部にマグネット４５を配設し、収納庫１５の一部にマグネット４５の磁力を検知する検知部４６を設けている。検知部４６は、蓋部１６が完全に閉じているとき、マグネット４５の位置を検出し、検出装置４７によって蓋部１６の閉状態を検知するように構成している。止水弁４８は、給水路２０内に設け、止水弁駆動装置４９により駆動するようにしている。他の構成は上記実施例６と同じである。
【００７１】
上記構成において動作を説明すると、検知部４６は、蓋部１６が完全に閉じているとき、マグネット４５の位置を検出し、検出装置４７によって蓋部１６の閉状態を検知し、給水路２０内に設けた止水弁４８を開く。したがって、収納庫１５への給水は給水弁２１より給水路２０を通り給水口３３を経て、蓋部１６に向けて噴射する。噴射された水は還元剤３１の上部に略同心円状に散水され、還元剤３１を均一に溶解することができる。還元剤３１により水道水中の遊離塩素を酸化還元反応によって除去した後に、処理水は収納庫１５の下部の排水口２２を経て、給水口部２３より洗濯兼脱水槽２４内に注水される。
【００７２】
蓋部１６が開いていると、マグネット４５の位置を検出し、検出装置４７によって蓋部１６の開状態を検知し、給水路２０内に設けた止水弁４８により、収納庫１５への給水を制限または停止する。
【００７３】
このように本発明によれば、検知部４６は、蓋部１６が完全に閉じているとき、マグネット４５の位置を検出し、検出装置４７によって蓋部１６の閉状態を検知し、給水路２０内に設けた止水弁４８を開き、蓋部１６が開状態のときは止水弁４８により、収納庫１５への給水を制限または停止することにより、還元剤３１がなくなり、給水中に蓋部１６を開けたときや、異常な水圧がかり蓋部１６が開いてしまったとき、あるいはその他の不具合によって蓋部１６が開いたときに収納庫１５外に水漏れが発生することがなく、安全性を向上することができる。
【００７４】
なお、本実施例では、蓋部１６の開状態を検知する手段として、マグネット４５とマグネット４５の磁力を検知する検知部４６によって構成したが、機械スイッチ、光センサーなど、これ以外にも、蓋部１６の開状態を検知する手段は、種々あり、これらは収納庫１５の蓋部１６の開状態を検出し、収納庫１５外に水漏れが発生しないよう収納庫１５への給水を制限、あるいは停止するという効果については同様である。
【００７５】
（実施例１２）
図１３（ａ）（ｂ）に示すように、蓋部５０に収納庫１５への給水を制御する給水制御部５１を設け、収納庫１５の給水口３３の近傍に弁制御棒５２を介して止水弁５３を取りつけている。他の構成は上記実施例６と同じである。
【００７６】
上記構成において動作を説明すると、図１３（ａ）に示すように、蓋部５０が閉じているときは、蓋部５０の給水制御部５１が弁制御棒５２を押して給水路２０から水道水を収納庫１５内に給水する。一方、蓋部５０が完全に閉じていないときは、蓋部５０の給水制御部５１が弁制御棒５２を押し込む距離が小さくなり、給水路２０からの水道水の圧力で止水弁５３は押しあげられる。
【００７７】
更に蓋５０が開状態になっていくと、図１３（ｂ）に示すように、ついには止水弁５３が給水路２０を閉じてしまう。このように、蓋部５０の開閉状態を検知する手段を設けなくとも、蓋部５０が開いていると、収納庫１５への給水の水圧を利用して自動的に止水弁５３を閉じることができ、収納庫１５への給水を制限または停止することができる。
【００７８】
このように本発明によれば、蓋部５０に設けた給水制御部５１と、収納庫１５の給水口３３の近傍に弁制御棒５２を介して設けた止水弁５３とにより、蓋部５０の閉まり具合程度に応じて給水量を変化させることで、蓋部５０の開閉状態を検知する手段を設けなくとも、蓋部５０が開いていると、収納庫１５への給水の水圧を利用して自動的に収納庫１５への給水を制限または停止することができ、還元剤３１がなくなり、給水中に蓋部５０を開けたときや、異常な水圧がかり蓋部５０が開いてしまったとき、またはその他の不具合によって蓋部５０が開いたときに、収納庫１５外に水漏れが発生しないようにでき、安全性を向上するとともに、安価にできる。
【００７９】
（実施例１３）
図１４（ａ）（ｂ）に示すように、蓋部５０に収納庫１５への給水を制御する給水制御部５１を設け、収納庫１５の給水口３３の近傍に弁制御棒５２を介して止水弁５３を取りつけている。弁制御棒５２は、スプリング５４によって常に止水弁５３が閉じる方向に力を加えられている。他の構成は上記実施例１２と同じである。
【００８０】
上記構成において動作を説明すると、図１４（ａ）に示すように、蓋部５０が閉じているときは、蓋部５０の給水制御部５１が弁制御棒５２を押して給水路２０から水道水を収納庫１５内に給水する。一方、蓋部５０が完全に閉じていないときは、蓋部５０の給水制御部５１が弁制御棒５２を押し込む距離が小さくなり、給水路２０からの水道水の圧力で止水弁５３は押しあげられる。
【００８１】
更に蓋５０が開状態になっていくと、図１３（ｂ）に示すように、ついには止水弁５３が給水路２０を閉じてしまう。このように、蓋部５０の開閉状態を検知する手段を設けなくとも、蓋部５０が開いていると、水圧が低い場合でも自動的に止水弁５３を閉じることができ、収納庫１５への給水を制限または停止することができる。
【００８２】
このように本発明によれば、蓋部５０に給水制御部５１を設け、収納庫１５の給水口３３の近傍に弁制御棒５２を介して設けた止水弁５３をスプリング５４によって常に閉じる方向に力を加えることで、蓋部５０が開いていると、水圧が低い場合でも、自動的に収納庫１５への給水を制限または停止することができ、還元剤３１がなくなり、給水中に蓋部５０を開けたときや、異常な水圧がかり蓋部５０が開いてしまったとき、またはその他の不具合によって蓋部５０が開いたときに、収納庫１５外に水漏れが発生しないようにでき、安全性を向上するとともに、安価にできる。
【００８３】
なお、本実施例では、スプリング５４により止水弁５３を押しあげるように構成しているが、止水弁５３を押しあげる方法としては、磁石の反発、または吸引力を利用した方法や、電動機を用いた方法等があり、水圧が低い場合でも収納庫１５への給水を自動的にこの止水弁５３がとじることで、制限または停止する構成においてはその効果は同じである。
【００８４】
（実施例１４）
図１５（ａ）に示すように、還元剤１４を収納庫１５に収納し、還元剤１４の下方に排水口２２を設け、この排水口２２の上方にフィルター５５を設ける。このフィルター５５は、図１５（ｂ）に示すように、網状に形成し、このフィルター５５によって還元剤１４に付着したごみや、還元剤１４の欠片、給水路（図示せず）のさびなどを除去するようにしている。他の構成は上記実施例１と同じである。
【００８５】
上記構成において動作を説明すると、収納庫１５内に還元剤１４を入れ、蓋部１６を閉じた状態で、給水口１９より還元剤１４の上方に給水すると、還元剤１４により水道水中の遊離塩素を酸化還元反応によって除去し、その後、処理水は収納庫１５の下部の排水口２２を経て、給水口部２３より洗濯兼脱水槽２４内に注水される。
【００８６】
このとき、フィルター５５によって還元剤１４に付着したごみや、還元剤１４の欠片、給水路（図示せず）のさびなど、または洗濯兼脱水槽２４に入り洗濯すれば、洗濯終了後に衣類に付着していることが判別できる異物を収納庫１５内にて除去することができる。
【００８７】
なお、本実施例では、フィルター５５として、網状の例を示したが、フィルターとしては、フエルト状、スポンジ状、綿状など種々な形態が存在する。収納庫１５内にて還元剤１４に付着したごみや、還元剤１４の欠片などを取り除く構成においては効果は同様である。
【００８８】
（実施例１５）
図１６に示すように、蓋部５６は、還元剤１４を収納する収納庫１５を覆い、その一部に透明部５７を形成している。他の構成は上記実施例１と同じである。
【００８９】
このように、蓋部５６の一部に透明部５７を形成することにより、還元剤１４の減り具合や状態を、蓋部５６を閉めたままで外部から視覚的に確認でき、還元剤１４がなくなったまま使用し、色柄物の変退色やシルクの黄変を引き起こしたりすることを抑止することができ、還元剤１４の補填や交換などのメンテナンスを的確な時期に行うことができる。
【００９０】
なお、本実施例では、蓋部５６の一部に透明部５７を形成しているが、半透明でもよく、また、蓋部５６の全体を透明または半透明にしてもよい。
【００９１】
【発明の効果】
以上のように本発明の請求項１に記載の発明によれば、洗濯槽と、前記洗濯槽に水道水を給水するための給水手段と、前記給水手段と連通し水道水を内部に給水するための給水口および前記洗濯槽内に給水するための給水口部と連通し内部の水を排水するための排水口を有する水処理装置とを備え、前記水処理装置は、内部に、亜硫酸カルシウムを主成分としその微粒子を水に徐溶性の結合剤により固結して形成し水道水に含まれる遊離塩素を還元する還元剤を収納し、前記給水口からの給水が前記還元剤の上方より前記還元剤上に散水されるよう構成したから、予め設定した所定量の還元剤を水道水中に分散または溶解し、還元剤と遊離塩素を完全にかつ迅速に酸化還元反応させて除去することができ、水道水に含まれる遊離塩素の酸化作用による色柄物（染料）の変退色やシルクの黄変や各種有機系の繊維表面加工材の酸化等を防止することができる。
【００９２】
また、請求項２に記載の発明によれば、水処理装置は、還元剤を収納する収納庫と、前記収納庫の上方を開閉可能に被着される蓋部とを有し、給水口からの給水が前記蓋部に当たり整流されて、前記還元剤上に均一に散水されるよう構成したから、収納庫に投入された還元剤に対し、給水を一旦蓋に当てることで給水の状態を制御することができ、制御された水が還元剤にかかり溶出し、洗濯槽に注水される水道水の中の遊離塩素濃度を所定値以下に押さえることができる。
【００９３】
また、請求項３に記載の発明によれば、蓋部には、給水口から供給された水道水が整流、分配されるリブを設けたから、収納庫に投入された還元剤に対して、給水を蓋部に当てることで給水の状態を制御し、洗濯槽に投入される水道水の中の遊離塩素濃度を安定して所定値以下に押さえることができ、かつ蓋部に設けたリブによって、還元剤の溶解の状態を均一にすることができ、使用回数を重ねても安定して水道水処理を行うことができる。
【００９４】
また、請求項４に記載の発明によれば、蓋部は、略ドーム形状とし、給水口から収納庫に供給された水道水が前記蓋部内面の略ドーム形状中央部分に当たり散水されるよう構成したから、収納庫に投入された還元剤に対して、給水を一旦ドーム状に形成した蓋部に当てて水圧による水の乱れを抑制し、給水の状態を安定化させることで洗濯槽に投入される水道水の中の遊離塩素濃度を高水圧の状態でも安定して所定値以下に押さえ、かつ還元剤の溶解の状態を均一化することができる。
【００９５】
また、請求項５に記載の発明によれば、給水口は、収納庫の略中央部に配設されるよう構成したから、給水の状態を一定に上方向に向けることで、還元剤への散水が中央から均一にかかる構成とすることができ、これによって洗濯槽に注水される水道水の中の遊離塩素濃度を安定して所定値以下に押さえ、かつ還元剤の溶解も中央から進むようすることができ、使用回数を重ねても安定して水道水処理を行うことができ、更に還元剤の溶解状態を安定させることができる。
【００９６】
また、請求項６に記載の発明によれば、還元剤の一部に穴または切欠き部を設け、給水口は、前記穴または切欠き部を連通して水道水を供給するよう配設したから、収納庫に投入された還元剤に対する給水経路の給水口を収納庫の略中央部に配設し、同時に還元剤を給水口をよける状態に配設することで、給水経路を簡素化することができ、還元剤のメンテナンスに対しても蓋部を開けるだけで安易に行うことができ、さらに水道水の中の遊離塩素濃度を安定して所定値以下に押さえ、かつ還元剤を中央部から均一に溶解するようにでき、使用回数を重ねても安定して水道水処理を行うことができ、更に還元剤の溶解状態を中央から溶解させることができる。
【００９７】
また、請求項７に記載の発明によれば、還元剤を収納庫内に遊嵌して装着できる保持部が、収納庫に配設されるよう構成したから、収納庫内に配設した保持部によって、還元剤が給水により振動、移動、傾きなどの変化を起こし、不安定な状態になるのを防止すことができ、還元剤の片減りや割れといった不具合がなく、水道水の中の遊離塩素濃度を安定して所定値以下に押さえることができる。
【００９８】
また、請求項８に記載の発明によれば、還元剤を覆うケースを有し、保持部は、前記ケースの一部を遊嵌する構成としたから、還元剤を覆うケースの一部を保持部で保持することで、還元剤の遊嵌部分が変形したり、削れたり、破損したりするのを防止することができ、水道水の中の遊離塩素濃度をさらに安定して所定値以下に押さえることができる。
【００９９】
また、請求項９に記載の発明によれば、保持部とケースとの遊嵌部分で、給水口を形成したから、収納庫の構造を簡素化することができて収納庫内における還元剤の体積を拡充することができ、長期にわたって水道水の中の遊離塩素の処理を行うことができる。
【０１００】
また、請求項１０に記載の発明によれば、還元剤は、収納庫内に挿入する際の異方向挿入を防止する手段を設けたから、還元剤に上下などの区別がある場合、収納庫の挿入方向により収納庫内に設けた還元剤を遊嵌させる保持部と還元剤を覆うケースとが接触または干渉することで、溶解が安定しないため、溶解が安定しない方向では還元剤を挿入できないようにすることで、還元剤の交換等を行っても、給水経路に対して安定して還元剤が溶解する位置に還元剤を挿入することができ、安定して水道水の中の遊離塩素の処理を行うことができる。
【０１０１】
また、請求項１１に記載の発明によれば、収納庫に供給される水道水の給水量を制御する給水制御手段と、蓋部の開閉状態を検知する蓋開閉検知手段とを備え、前記蓋開閉検知手段が蓋開状態を検知したとき収納庫内に供給される給水量を減少、給水圧を低下、または給水を停止する構成としたから、蓋開閉検知手段により蓋部が開いていることを検知すれば、収納庫への給水を制限または停止することにより、還元剤がなくなり、給水中に蓋部を開けたときや、異常な水圧がかり蓋部が開いてしまったとき、あるいはその他の不具合によって蓋部が開いたときに収納庫外に水漏れが発生することがなく、安全性を向上することができる。
【０１０２】
また、請求項１２に記載の発明によれば、収納庫に供給される水道水の給水量を制御する給水制御手段を備え、前記給水制御手段は、蓋部の閉まり具合程度に応じて給水量を変化させるようにしたから、蓋部の開閉状態を検知する手段を設けなくとも、蓋部が開いていると、収納庫への給水の水圧を利用して、自動的に収納庫への給水を制限または停止することができ、還元剤がなくなり、給水中に蓋部を開けたときや、異常な水圧がかり蓋部が開いてしまったとき、またはその他の不具合によって蓋部が開いたときに、収納庫外に水漏れが発生しないようにでき、安全性を向上するとともに、安価にできる。
【０１０３】
また、請求項１３に記載の発明によれば、給水制御手段は、収納庫への給水をばね、電動機、マグネット等の給水水圧等に関係なく動作する手段によって制御し、蓋部の開状態で給水量を減少、給水圧を低下、または給水を停止する構成としたから、蓋が開いていると、水圧に関係なく自動的に収納庫への給水を制限または停止することができ、還元剤がなくなり、給水中に蓋部を開けたときや、またはその他の不具合によって蓋部が開いたときに、たとえ水圧が低くても収納庫外に水漏れが発生しないようにでき、安全性を向上するとともに、安価にできる。
【０１０４】
また、請求項１４に記載の発明によれば、排水口に還元剤からの粉、破片、不純物等の異物を取り除くフィルター部を配設したから、還元剤に付着したごみや、還元剤の欠片、給水経路のさび等のそのまま洗濯槽に入って洗濯すれば、洗濯終了後に衣類に付着していることが判別できる異物を、収納庫内にて除去することができる。
【０１０５】
また、請求項１５に記載の発明によれば、蓋部の一部または全体を透明または半透明に形成し、還元剤の状態を収納庫外から視覚的に確認できるようにしたから、蓋部を閉じたままの状態で還元剤の減り具合や状態を外部から視覚的に確認することができ、還元剤がなくなったまま使用し、色柄物の変退色やシルクの黄変を引き起こしたりすることを抑止することができ、還元剤の補填や交換などのメンテナンスを的確な時期に行うことができる。
【図面の簡単な説明】
【図１】  本発明の第１の実施例の洗濯機の要部断面図
【図２】  同洗濯機の要部分解斜視図
【図３】  本発明の第２の実施例の洗濯機の要部断面図
【図４】  本発明の第３の実施例の洗濯機の要部断面図
【図５】  本発明の第４の実施例の洗濯機の要部断面図
【図６】  本発明の第５の実施例の洗濯機の要部断面図
【図７】  （ａ）本発明の第６の実施例の洗濯機の要部断面図
（ｂ）同洗濯機の要部分解斜視図
（ｃ）同洗濯機の還元剤の他の例の斜視図
【図８】  （ａ）本発明の第７の実施例の洗濯機の要部断面図
（ｂ）同洗濯機の水処理装置の要部断面図
【図９】  （ａ）本発明の第８の実施例の洗濯機の要部断面図
（ｂ）同洗濯機の水処理装置の要部断面図
【図１０】  本発明の第９の実施例の洗濯機の要部断面図
【図１１】  （ａ）本発明の第１０の実施例の洗濯機の要部断面図
（ｂ）同洗濯機の水処理装置のケース逆挿入時の要部断面図
【図１２】  本発明の第１１の実施例の洗濯機の要部断面図
【図１３】  （ａ）本発明の第１２の実施例の洗濯機の要部断面図
（ｂ）同洗濯機の止水時の要部断面図
【図１４】  （ａ）本発明の第１３の実施例の洗濯機の要部断面図
（ｂ）同洗濯機の止水時の要部断面図
【図１５】  （ａ）本発明の第１４の実施例の洗濯機の要部分解斜視図
（ｂ）同洗濯機のフィルターの拡大斜視図
【図１６】  本発明の第１５の実施例の洗濯機の要部斜視図
【図１７】  従来の洗濯機の一例の要部分解斜視図
【図１８】  （ａ）従来の洗濯機の他の例の要部分解斜視図
（ｂ）同洗濯機の遊離塩素除去装置の断面図
【図１９】  （ａ）従来の洗濯機の他の例の要部分解斜視図
（ｂ）同洗濯機のカートリッジの一部切欠した斜視図
【符号の説明】
１４  還元剤
１５  収納庫
１６  蓋部
１８  水処理装置
２１  給水弁（給水手段）
２４  洗濯兼脱水槽（洗濯槽）
【図１】
0003684690.tif 000002
【図２】
0003684690.tif 000003
【図３】
0003684690.tif 000004
【図４】
0003684690.tif 000005
【図５】
0003684690.tif 000006
【図６】
0003684690.tif 000007
【図７】
0003684690.tif 000008
【図８】
0003684690.tif 000009
【図９】
0003684690.tif 000010
【図１０】
0003684690.tif 000011
【図１１】
0003684690.tif 000012
【図１２】
0003684690.tif 000013
【図１３】
0003684690.tif 000014
【図１４】
0003684690.tif 000015
【図１５】
0003684690.tif 000016
【図１６】
0003684690.tif 000017
【図１７】
0003684690.tif 000018
【図１８】
0003684690.tif 000019
【図１９】
0003684690.tif 000020